(57)【要約】      （修正有）【課題】冷却ファンを使用することなく、ラックマウント型サーバ等の電子機器を電子機器収納用キャビネットに効率的に冷却可能に配置させる電子機器収納用棚板、電子機器収納用棚板を備える収納ラック及び電子機器収納用棚板に収容される電子機器を提供する。【解決手段】複数のラックマウント型の電子機器４を多段状に収納可能な電子機器収納用キャビネット２の内部に配置される電子機器収納用棚板３であって、電子機器収納用キャビネット２に配置された状態で、上縁３０ａ及び下縁３０ｂが略水平方向に延びて位置する一対の側板部３０と、電子機器収納用キャビネット２に配置された状態で、水平方向に対して所定角度傾斜するように一対の側板部３０それぞれに固定される底板部３１と、を備える電子機器収納用棚板３に関する。【選択図】図１
2011040608.tif 000002
【特許請求の範囲】
【請求項１】
複数のラックマウント型の電子機器を多段状に収納可能な電子機器収納用キャビネットの内部に配置される電子機器収納用棚板であって、
前記電子機器収納用キャビネットに配置された状態で、上縁及び下縁が略水平方向に延びて位置する一対の側板部と、
前記電子機器収納用キャビネットに配置された状態で、水平方向に対して所定角度傾斜するように前記一対の側板部それぞれに固定される底板部と、
を備える電子機器収納用棚板。
【請求項２】
前記電子機器収納用キャビネットに配置された状態で、水平方向に対して所定角度傾斜するように前記一対の側板部それぞれに固定される天板部を更に備える請求項１に記載の電子機器収納用棚板。
【請求項３】
前記底板部及び前記天板部は、前記電子機器収納用キャビネットに配置された状態において、前記電子機器収納用キャビネットの前面側から背面側に向かって上り傾斜するように前記一対の側板部に固定される請求項２に記載の電子機器収納用棚板。
【請求項４】
複数のラックマウント型の電子機器を所定間隔をあけて多段状に収納可能な電子機器収納用キャビネットと、
前記電子機器収納用キャビネットの内部に配置される電子機器収納用棚板と、を備える収納ラックであって、
前記電子機器収納用棚板は、前記電子機器収納用キャビネットに配置された状態で上縁及び下縁が略水平方向に延びて位置する一対の側板部と、前記電子機器収納用キャビネットに配置された状態で前記略水平方向に対して所定角度傾斜するように前記一対の側板部それぞれに固定される底板部と、を有する収納ラック。
【請求項５】
電子機器収納用キャビネットの内部に配置された状態で上縁及び下縁が略水平方向に延びて位置する一対の側板部と、前記電子機器収納用キャビネットに配置された状態で水平方向に対して所定角度傾斜するように前記一対の側板部それぞれに固定される底板部と、を有する電子機器収納用棚板に収納可能な電子機器であって、
前記電子機器収納用棚板を前記電子機器収納用キャビネットに配置した状態で、前記電子機器収納用キャビネットの前面に位置する前面部と、前記前面部と連続する底面部とを有する略矩形箱状の筐体と、前記筐体の内部に収容される本体部品とを備え、
前記筐体は、前記前面部と前記底面部とが、９０度から前記所定角度を減じた角度をなす電子機器。
【請求項６】
前記筐体の少なくとも一部は、マグネシウム材料により形成される請求項５に記載の電子機器収納用棚板。
【発明の詳細な説明】
【技術分野】
【０００１】
本発明は、サーバ等の電子機器を多段状に収納可能な電子機器収納用キャビネットに配置可能な電子機器収納用棚板、電子機器収納用棚板を備える収納ラック及び電子機器収納用棚板に収納される電子機器に関する。
【背景技術】
【０００２】
近年、サーバ等の電子機器は、特定の規格（例えば、ＥＩＡ規格）に基づいて形成された電子機器収納用キャビネットに多段状に収納可能なラックマウント型が主流となっている。
【０００３】
ラックマウント型の電子機器は、電子機器収納用キャビネットに収納することにより、システム構築を行う場合にシステム全体の占有面積を縮小することができるという利点を有している。
また、電子機器収納用キャビネットにおいては、各種電子機器を多段状に収納可能に形成されているため、各電子機器の機能等に基づいて配置の変更等が容易となり、システム構築における柔軟性を有すると共に、拡張性を向上できる。
【０００４】
一方、例えば、ラックマウント型のサーバを電子機器収納用キャビネットに多段状に収納する場合には、通常、サーバやサーバを収納した電子機器収納用棚板を重ねるようにして水平に配置する。そのため、サーバに実装されるＣＰＵ等の電子部品等（発熱体）から放射される熱がサーバや電子機器収納用キャビネットの内部にこもりやすい。これにより、サーバに実装される電子部品等を破損させるおそれがあった。
【０００５】
これに対しては、サーバや電子機器収納用キャビネットの内部に冷却ファンを設け、冷却ファンを回転させてサーバや電子機器収納用キャビネットの内部の空気を強制的に排出させることにより、サーバや電子機器収納用キャビネットの内部を冷却する電子機器システムが開示されている（例えば、特許文献１参照）。
【先行技術文献】
【特許文献】
【０００６】
【特許文献１】特開２００２−３６６２５８号公報
【発明の概要】
【発明が解決しようとする課題】
【０００７】
しかしながら、冷却ファンを電子機器収納用キャビネットやサーバに取り付ける場合には、電子機器収納用キャビネットやサーバ自体が大型化してしまうという問題がある。また、例えば、小型の冷却ファンを取り付けた場合には、大量の空気を流動させる必要があるため冷却ファンによる消費電力が大きくなると共に、冷却ファン自体も熱を放射する。更に、冷却ファンは、騒音も大きい。
【０００８】
そのため、従来より、冷却ファンを使用することなく電子機器収納用キャビネットの内部の温度上昇を防ぐことができるファンレス構造の電子機器や電子機器収納用キャビネットが望まれていた。
【０００９】
本発明は、冷却ファンを使用することなく、ラックマウント型サーバ等の電子機器を電子機器収納用キャビネットに効率的に冷却可能に配置する電子機器収納用棚板、電子機器収納用棚板を備える収納ラック及び電子機器収納用棚板に収容される電子機器を提供することを目的とする。
【課題を解決するための手段】
【００１０】
本発明は、複数のラックマウント型の電子機器を多段状に収納可能な電子機器収納用キャビネットの内部に配置される電子機器収納用棚板であって、前記電子機器収納用キャビネットに配置された状態で、上縁及び下縁が略水平方向に延びて位置する一対の側板部と、前記電子機器収納用キャビネットに配置された状態で、水平方向に対して所定角度傾斜するように前記一対の側板部それぞれに固定される底板部と、を備える電子機器収納用棚板に関する。
【００１１】
また、前記電子機器収納用キャビネットに配置された状態で、水平方向に対して所定角度傾斜するように前記一対の側板部それぞれに固定される天板部を更に備えることが好ましい。
【００１２】
また、前記底板部及び前記天板部は、前記電子機器収納用キャビネットに配置された状態において、前記電子機器収納用キャビネットの前面側から背面側に向かって上り傾斜するように前記一対の側板部に固定されることが好ましい。
【００１３】
また、本発明は、複数のラックマウント型の電子機器を所定間隔をあけて多段状に収納可能な電子機器収納用キャビネットと、前記電子機器収納用キャビネットの内部に配置される電子機器収納用棚板と、を備える収納ラックであって、前記電子機器収納用棚板は、前記電子機器収納用キャビネットに配置された状態で上縁及び下縁が略水平方向に延びて位置する一対の側板部と、前記電子機器収納用キャビネットに配置された状態で前記水平方向に対して所定角度傾斜するように前記一対の側板部それぞれに固定される底板部と、を有する収納ラックに関する。
【００１４】
また、本発明は、電子機器収納用キャビネットの内部に配置された状態で上縁及び下縁が略水平方向に延びて位置する一対の側板部と、前記電子機器収納用キャビネットに配置された状態で水平方向に対して所定角度傾斜するように前記一対の側板部それぞれに固定される底板部と、を有する電子機器収納用棚板に収納可能な電子機器であって、前記電子機器収納用棚板を前記電子機器収納用キャビネットに配置した状態で、前記電子機器収納用キャビネットの前面に位置する前面部と、前記前面部と連続する底面部とを有する略矩形箱状の筐体と、前記筐体の内部に収容される本体部品とを備え、前記筐体は、前記前面部と前記底面部とが、９０度から前記所定角度を減じた角度をなす電子機器に関する。
【００１５】
また、前記筐体の少なくとも一部は、マグネシウム材料により形成されることが好ましい。
【発明の効果】
【００１６】
本発明によれば、冷却ファンを使用することなく、ラックマウント型サーバ等の電子機器を電子機器収納用キャビネットに効率的に冷却可能に配置する電子機器収納用棚板、電子機器収納用棚板を備える収納ラック及び電子機器収納用棚板に収納される電子機器を提供することができる。
【図面の簡単な説明】
【００１７】
【図１】本発明の第１実施形態に係るサブラックを配置した状態を示すサーバラックの外観斜視図である。
【図２】第１実施形態に係るサーバを収納した状態を示すサブラックの外観斜視図である。
【図３】第１実施形態に係るサブラックの外観斜視図である。
【図４】図３に示すサブラックのＡ−Ａ矢視断面図である。
【図５】第１実施形態に係るサーバの外観斜視図である。
【図６】図５に示すサーバの側面図である。
【図７】（ａ）は第１実施形態に係るサブラックにサーバを収納する前の状態を示す模式図であり、（ｂ）は第１実施形態に係るサブラックの収納部にサーバを収納する状態を示す模式図であり、（ｃ）は第１実施形態に係るサブラックの収納部にサーバを収納した状態を示す模式図である。
【図８】（ａ）はサブラック３をサーバラック１に配置する前の状態を示す模式図であり、（ｂ）はサブラック３をサーバラック１に配置した状態を示す模式図である。
【図９】本発明の第２実施形態に係るサブラックを配置した状態を示すサーバラックの外観斜視図である。
【図１０】第２実施形態に係るサブラックを示す外観斜視図である。
【図１１】図１０に示すサブラックのＢ−Ｂ矢視断面図である。
【発明を実施するための形態】
【００１８】
以下、本発明の実施形態について図面を参照しながら説明する。
［第１実施形態］
まず、本発明の第１実施形態に係る収納ラックとしてのサーバラック１について、図１から図６を参照しながら説明する。
図１は、本発明の第１実施形態に係るサブラック３を配置した状態を示すサーバラック１の外観斜視図である。図２は、第１実施形態に係るサーバ４を収納した状態を示すサブラック３の外観斜視図である。図３は、第１実施形態に係るサブラック３の外観斜視図である。図４は、図３に示すサブラック３のＡ−Ａ矢視断面図である。図５は、第１実施形態に係るサーバ４の外観斜視図である。図６は、図５に示すサーバ４の側面図である。
【００１９】
図１及び図２に示すように、第１実施形態に係るサーバラック１は、電子機器収納用キャビネットとしてのキャビネット２と、複数の電子機器収納用棚板としてのサブラック３とを備える。サブラック３それぞれは、ラックマウント型の電子機器としてのサーバ４を収納可能に形成されると共に、キャビネット２の内部に多段状に配置可能に形成されている。
以下、キャビネット２、キャビネット２に配置するサブラック３及びサブラック３に収納するサーバ４について、具体的に説明する。
【００２０】
図１に示すように、キャビネット２は、ＥＩＡ（Ｔｈｅ  Ｅｌｅｃｔｒｉｃａｌ  Ｉｎｄｕｓｔｒｉｅｓ  Ａｓｓｏｃｉａｔｉｏｎ）規格によって規定された、いわゆる１９インチサーバラックであり、ＥＩＡ規格により規定された複数のラックマウント型の１Ｕサーバ及び図２に示すサブラック３を多段状に収納可能に形成されている。
【００２１】
また、キャビネット２には、前面に開口２０が形成されている。
開口２０の内部には、前面側に位置する一対の支柱２２と、背面側に位置する一対の支柱２１と、支柱２１と支柱２２とを水平方向に連結する水平レール（図示せず）が設けられている。
【００２２】
一対の支柱２２は、鉛直方向に延びるように配置されており、複数のネジ穴２３が鉛直方向に所定の間隔で形成されている。また、一対の支柱２２は、ネジ穴２３同士の水平方向における間隔が所定の間隔（１９インチ）になるように配置されている。
一対の支柱２１は、鉛直方向に延びるように配置されている。
水平レールは、前面側に位置する支柱２１と背面側に位置する支柱２２をと連結するように、略水平に配置されている。
【００２３】
一方、キャビネット２の背面には、複数の排気孔（図示せず）が形成されている。排気孔は、キャビネット２の内部の空気を外部に排気可能に形成されている。
【００２４】
図３及び図４に示すように、サブラック３は、一対の側板部３０と、底板部３１と、天板部３２と、収納部３５と、一対のラック取付部３３と、一対のサーバ支持部３４と、を備える。
【００２５】
一対の側板部３０は、長尺の矩形板状に形成されている。一対の側板部３０は、鉄製であり、その表面にはメッキ処理が施されている。
一対の側板部３０は、キャビネット２の内部に配置された状態において、それぞれの上縁３０ａと下縁３０ｂとが水平方向と略平行に延びて位置するように配置されている。
【００２６】
底板部３１は、サーバ４を載置可能な矩形板状に形成されている。また、底板部３１は、鉄性であり、その表面（サブラック３における外面側の表面であり、サーバ４が載置されない側の面）にはメッキ処理が施されている。
底板部３１は、一対の側板部３０の間において一対の側板部３０の下縁３０ｂ側に位置している。底板部３１は、一対の側板部３０の上縁３０ａと下縁３０ｂ対して、前面側から背面側に向かって上り傾斜するように一対の側板部３０それぞれに固定されている。
具体的には、図４に示すように、底板部３１は、キャビネット２の内部に配置された状態で、水平方向に対して所定角度α、キャビネット２の前面側から背面側に向かって上り傾斜するように一対の側板部３０それぞれに固定されている。
【００２７】
天板部３２は、底板部３１と略同形状の矩形板状に形成されている。また、天板部３２は、鉄性であり、その表面にはメッキ処理が施されている。更に、天板部３２には、前面側から背面側に向かって延びるスリット３６が形成されている。
天板部３２は、底板部３１と対向した状態で一対の側板部３０の上縁３０ａ側に位置している。天板部３２は、底板部３１と同様に、一対の側板部３０の上縁３０ａと下縁３０ｂ対して、前面側から背面側に向かって上り傾斜するように一対の側板部３０それぞれに固定されている。具体的には、図４に示すように、天板部３２は、キャビネット２の内部に配置された状態で、水平方向に対して所定角度α、キャビネット２の前面側から背面側に向かって上り傾斜するように一対の側板部３０それぞれに固定されている。
【００２８】
収納部３５は、一対の側板部３０と、底板部３１と、天板部３２とにより形成されている。収納部３５は、サーバ４を収納する。
【００２９】
一対のラック取付部３３は、一対の側板部３０それぞれの前面側に形成されている。一対のラック取付部３３は、キャビネット２に配置された状態で、一対の側板部３０それぞれの上縁３０ａと下縁３０ｂとが水平方向に延びて位置するように、サブラック３を一対の支柱２２に取り付けて固定する。具体的には、一対のサーバ取付部それぞれには、一対のネジ穴３３ａが形成されており、一対の支柱２２に形成されたネジ穴２３と重ね合わせた後、ネジ穴３３ａとネジ穴２３にネジ部材２５（図１参照）を螺嵌することにより、一対の支柱２２に固定する。
【００３０】
一対のサーバ支持部３４は、一対の側板部３０それぞれの前面側に形成されている。一対のサーバ支持部３４には、一対のネジ穴３４ａが形成されている。
【００３１】
図５に示すように、サーバ４は、ラックマウント型サーバである。
サーバ４は、略矩形箱状に形成されたサーバ筐体４０と、サーバ筐体４０の内部に収容される本体部品４１と、を備える。
サーバ筐体４０は、収納部３５に収納可能な略矩形箱形に形成されており、前面部４２を除いた部分がマグネット合金により形成されている。また、サーバ筐体４０の前面部４２には、幅方向における両側に一対のサーバ取付部４３が形成されている。一対のサーバ取付部４３それぞれは、一対のネジ穴（図示せず）が形成されおり、一対のサーバ支持部３４に形成されたネジ穴３４ａと重ね合わせた後、取付ネジ４７を螺嵌することにより、一対のサーバ支持部３４にサーバ４が支持されるように構成されている。
【００３２】
また、サーバ筐体４０の前面部４２は、前面部４２と連続する底面部４４に対して、９０度から上述の所定角度αを減じた角度βをなすように形成されている。
同様に、サーバ筐体４０の背面部４５は、背面部４５と連続する上面部４６に対して、９０度から上述の所定角度αを減じた角度βをなすように形成されている。
つまり、サーバ筐体４０は、水平方向に対して所定角度α傾斜した状態で固定されている底板部３１及び天板部３２に沿ってサーバ４をサーバ筐体４０に収納した場合において、サーバ４の前面部４２及び背面部４５が鉛直面を構成するように形成されている。
【００３３】
本体部品４１は、ＣＰＵやメモリを実装したメインボード、電源ユニット、ＨＤＤやＣＤ−ＲＯＭのストレージ等から構成されている。なお、本実施形態においては、メインボードに実装されるＣＰＵは、例えば、ノート型パソコン等に使用される消費電力が低く、放熱量の少ないＣＰＵが使用されている。
【００３４】
次に、第１実施形態に係るサブラック３の使用方法について、図７（ａ）から図８（ｂ）を参照しながら説明する。
図７（ａ）は、第１実施形態に係るサブラック３にサーバ４を収納する前の状態を示す模式図であり、図７（ｂ）は第１実施形態に係るサブラック３の収納部３５にサーバ４を収納する状態を示す模式図であり、図７（ｃ）は第１実施形態に係るサブラック３の収納部３５にサーバ４を収納した状態を示す模式図である。図８（ａ）は、サブラック３をサーバラック１に配置する前の状態を示す模式図であり、図８（ｂ）は、サブラック３をサーバラック１に配置した状態を示す模式図である。
【００３５】
図７（ａ）及び図７（ｂ）に示すように、まず、サーバ４をサブラック３の底板部３１及び天板部３２に沿って収納部３５に収納する。
このとき、底板部３１及び天板部３２は、一対の側板部３０の上縁３０ａ及び下縁３０ｂに対して所定角度α傾斜するように一対の側板部３０に固定されている。そのため、サーバ４は、一対の側板部３０の上縁３０ａ及び下縁３０ｂに対して所定角度α傾斜した状態で、収納部３５に収納される。
【００３６】
図７（ｃ）に示すように、サーバ４が一対の側板部３０の上縁３０ａ及び下縁３０ｂに対して所定角度α傾斜した状態で収納部３５に収納されると、一対のサーバ取付部４３に設けられる取付ネジ４７をサブラック３の一対のサーバ支持部３４に形成されたネジ穴３４ａに螺合させる。これにより、サーバ４は、一対の側板部３０の上縁３０ａ及び下縁３０ｂに対して所定角度α傾斜した状態でサブラック３に支持される。
【００３７】
次いで、サブラック３をキャビネット２の内部に配置する。
まず、図８（ａ）に示すように、一対の側板部３０の上縁３０ａ及び下縁３０ｂが水平方向に延びて位置するように、水平レール（図示せず）に沿ってサブラック３をキャビネット２の内部に配置する。サブラック３をキャビネット２の内部に配置すると、一対のラック取付部３３それぞれに形成された一対のネジ穴３３ａと、一対の支柱２２に形成されたネジ穴２３と重ね合わせ、ネジ穴３３ａとネジ穴２３にネジ部材２５（図１参照）を螺嵌する。これにより、サブラック３は、一対の側板部３０の上縁３０ａ及び下縁３０ｂが水平方向に延びた状態でキャビネット２に固定される。
【００３８】
このとき、サブラック３は、図８（ｂ）に示すように、サブラック３の底板部３１と天板部３２とが水平方向に対して所定角度α傾斜した状態で配置される。
同様に、サーバ４も水平方向に対して所定角度α傾斜した状態で配置される。また、このとき、サーバ４の前面部４２は、一対の側板部３０の上縁３０ａ及び下縁３０ｂと直交するように位置するため、サーバ４の前面部４２は、キャビネット２の鉛直面と略平行な面を構成する。
【００３９】
以上のような構成を有する第１実施形態に係るサーバラック１によれば、以下のような効果を奏する。
本実施形態に係るサーバラック１は、底板部３１と天板部３２とが水平方向に対して所定角度α、前面側から背面側に向かって上り傾斜した状態で、複数のサブラック３がキャビネット２の内部に配置されている。そのため、キャビネット２の内部に複数のサブラック３を多段状に配置すると、下段のサブラック３天板部３２と上段のサブラック３の底板部３１とにより、サーバラック１の前面側から背面側に上り傾斜した空気の流路を形成することが可能となる。
【００４０】
これにより、例えば、サーバ筐体４０に収納されるＣＰＵ等の発熱体から放射された熱により、キャビネット２内部の空気の温度が上昇した場合においても、温度上昇により上昇した空気を流路に沿って前面側から背面側に向かって移動させることが可能になる。つまり、温度上昇した空気を流路に沿って背面側に移動させて外部に逃がすことにより、冷却ファンを使用することなくキャビネット２の内部の空気の温度上昇を防止することができる。
【００４１】
また、本実施形態に係るサブラック３は、表面にメッキ処理を施している。そのため、キャビネット２の内部に複数のサブラック３を多段状に配置して上述の流路を形成した場合においても、下段側から上昇した空気の熱を上段側の底板部３１が吸収することなく、空気を前面側から背面側に移動させることが可能になる。
【００４２】
また、本実施形態においては、サーバ４は、一対の側板部３０、底板部３１及び天板部３２により形成されたサブラック３の収納部３５に収納される。つまり、サーバ４は、ＣＰＵ等の発熱体から放射された熱を、サブラック３にも伝熱させることが可能になる。これにより、ＣＰＵ等の発熱体から放射された熱を伝熱可能な伝熱部分の表面積を増加させることが可能になり、冷却効果を向上させることが可能になる。
【００４３】
また、本実施形態に係るサーバ４は、サブラック３をキャビネット２の内部に配置した状態で、前面部４２と底面部４４とが９０度から所定角度αを減じた角度βを成すように形成されている。つまり、サブラック３をキャビネット２の内部に配置した状態で、サーバ４の前面部４２は、鉛直面を構成する。これにより、サーバ４がサブラック３に収容された状態において、サーバ４の前面部４２を視認し易くなり、サーバ４の取り扱いが容易となる。
【００４４】
また、本実施形形態に係るサーバ４は、サーバ４の本体部品４１として、放熱量の低いＣＰＵを使用している。そのため、サーバ４は、サーバ筐体４０に放熱用の開口を設ける必要がなくなる。つまり、サーバ４は、本体部品４１をサーバ筐体４０で密封した状態で収容することが可能になる。これにより、例えば、放熱用の開口から塵や埃、又は虫等の異物がサーバ筐体４０の内部に進入することを防止することが可能になり、異物の進入による故障等を防止することが可能になる。
【００４５】
また、サーバ筐体４０は、マグネシウム合金により形成されている。マグネシウム合金は、電磁シールド性が高いため、サーバ筐体４０は、不要な電磁波を遮蔽することが可能となる。また、マグネシウム合金は、熱伝導性、放熱性に優れる。そのため、効率的に冷却効果を高めることが可能になる。
更に、マグネシウム合金により形成されたサーバ筐体４０は、軽量であると共に丈夫であるため、取り扱いが容易となる。また、サーバ筐体４０は、マグネシウム合金により形成されるため、リサイクルすることが可能となる。
【００４６】
［第２実施形態］
次に、本発明の第２実施形態に係るサーバラック１Ａについて、図９から図１１を参照しながら説明する。
図９は、本発明の第２実施形態に係るサブラック３Ａを収容した状態を示すサーバラック１Ａの外観斜視図である。図１０は、第２実施形態に係るサブラック３Ａを示す外観斜視図である。図１１は、図１０に示すサブラック３ＡのＢ−Ｂ矢視断面図である。
【００４７】
第２実施形態においては、主として、第１実施形態との相違点を中心に説明し、第１実施形態と同様の構成のものについては、同じ符号を付して説明を省略する。つまり、第２実施形態においては、特に説明されない点については、第１実施形態についての説明が適宜適用される。また、第１実施形態と同様の構成のものについては、第１実施形態と同様の効果が奏される。
【００４８】
図９に示すように、第２実施形態に係るサーバラック１Ａは、キャビネット２と、複数のサブラック３Ａとを備える。サブラック３Ａそれぞれは、ラックマウント型のサーバ４を収納可能に形成されると共に、キャビネット２の内部に多段状に配置可能に形成されている。
【００４９】
第２実施形態に係るサーバラック１Ａは、キャビネット２の内部に配置される複数のサブラック３Ａが第１実施形態と相違する。
具体的には、図１０及び図１１に示すように、第２実施形態に係るサブラック３Ａは、一対の側板部３０と、底板部３１と、収納部３５Ａと、一対のラック取付部３３と、一対のサーバ支持部３４と、を備える。
【００５０】
つまり、第２実施形態に係るサブラック３Ａは、天板部３２を有さないことにおいて、第１実施形態に係るサブラック３と相違する。言い換えると、収納部３５Ａが一対の側板部３０と、底板部３１とにより形成されていることにおいて、第１実施形態と相違する。
【００５１】
以上のような構成を有する第２実施形態に係るサーバラック１Ａによれば、第１実施形態に係るサーバラック１と同様の構成により生じる効果に加え、以下のような効果を奏する。
【００５２】
第２実施形態に係るサーバラック１Ａは、サブラック３Ａの収納部３５Ａが一対の側板部３０と、底板部３１とにより形成されている。つまり、サーバ筐体４０の上面部４６が露出した状態で、サーバ４がサブラック３Ａに収納されている。そのため、キャビネット２の内部に複数のサブラック３Ａを多段状に配置すると、下段のサブラック３Ａに収納されるサーバ筐体４０の上面部４６と上段のサブラック３Ａの底板部３１とにより、サーバラック１Ａの前面側から背面側に上り傾斜した空気の流路を形成することが可能となる。
【００５３】
これにより、例えば、サーバ筐体４０から放射された熱によりキャビネット２内部の空気の温度が上昇した場合においても、温度上昇した空気を流路に沿って前面側から背面側に向かって移動させることが可能になる。つまり、温度上昇した空気を背面側に移動させて外部に放出することにより、冷却ファンを使用することなくキャビネット２の内部の温度上昇を抑制することができる。
また、第２実施形態に係るサブラック３Ａの収納部３５Ａは、天板部３２を有さない構成であるため、サブラック３Ａの部品点数を削減することが可能になる。
【００５４】
なお、本発明は、上記実施形態に何ら限定されることなく、本発明の技術的範囲はこれらに限定されるものではない。
例えば、本実施形態においては、電子機器としてラックマウント型のサーバ４を収容可能なサブラック３，３Ａを用いて説明したが、本発明においてはこれに限定されない。サブラックは、例えば、ルータやハブ等の電子機器を収納可能に形成されたものであってもよい。
【００５５】
また、本実施形態においては、サーバラック１，１Ａは、サブラック３，３Ａに取り付けられた状態で前面部４２が鉛直面となるように形成されたサーバ４を用いて説明したが、本発明においてはこれに限定されない。サーバラック１，１Ａは、例えば、略直方体状に形成された既存のラックマウント型の１Ｕサーバ等をサブラック３，３Ａに収納し、１Ｕサーバを収納したサブラック３，３Ａを用いてもよい。
【００５６】
また、本実施形態においては、サーバラック１，１Ａは、サブラック３，３Ａを一対の支柱２２に固定して使用する構成としたが本発明においてはこれに限定されない。サーバラックは、サブラック３，３Ａをサーバラックから引き出し可能に接続する引き出し式のものであってもよい。
【００５７】
また、本実施形態においては、サーバラック１，１Ａは、ＥＩＡによって規定された１９インチサーバラック及び１９インチサーバラックに収納可能なサブラック３，３Ａを用いて説明したが本発明においてはこれに限定されない。サーバラック及びサブラックは、１９インチ以外の大きさのもの（例えば、１７インチ）に適用可能に形成してもよい。
【００５８】
また、第１実施形態においては、サーバ４は、一対の側板部３０の上縁３０ａ及び下縁３０ｂに対して所定角度α傾斜した状態で収納部３５に収納したが本発明においてはこれに限定されない。第１実施形態に係るサブラック３のように底板部３１及び天板部３２を有する場合においては、サーバ４をサブラック３の上縁３０ａ及び下縁３０ｂと略水平に収納させる構成であってもよい。
【００５９】
また、本実施形態においては、サーバ筐体４０をマグネシウム合金によって形成したが本発明においてはこれに限定されない。サーバ筐体４０は、マグネシウム合金によって形成されることが好ましいが、他の材料により形成されたものであってもよい。
【符号の説明】
【００６０】
１、１Ａ    サーバラック（収納ラック）
２    キャビネット（電子機器収納用キャビネット）
３、３Ａ    サブラック（電子機器収納用棚板）
４    サーバ（電子機器）
２２    支柱
３０    一対の側板部
３０ａ    上縁
３０ｂ    下縁
３１    底板部
３２    天板部
３３    ラック取付部
３４    サーバ支持部
４０    サーバ筐体
４１    本体部品
４２    前面部
４４    底面部
【図１】
2011040608.tif 000003
【図２】
2011040608.tif 000004
【図３】
2011040608.tif 000005
【図４】
2011040608.tif 000006
【図５】
2011040608.tif 000007
【図６】
2011040608.tif 000008
【図７】
2011040608.tif 000009
【図８】
2011040608.tif 000010
【図９】
2011040608.tif 000011
【図１０】
2011040608.tif 000012
【図１１】
2011040608.tif 000013